(57)【特許請求の範囲】
【請求項１】
上下に多数のスラットを屈曲可能に連結したシャッターパネルを左右のガイドレール内に保持して上方に設置したドラムに巻き取る巻上式のシャッターにおいて、上下中間位置のスラットの部屋内側に設けた左右スライド式の解錠操作体の解錠操作によってボトムスラットの部屋内側に取り付けた係止体をガイドレール内に設けた係止部から外して解錠する解錠装置であり、この解錠装置が、解錠操作体と係止体とを可撓性の索条からなる連結体で連結したものであり、かつ、この連結体を解錠操作体と同位又は下位に位置するスラットに固定される案内具に挿通して所定の張り掛け姿態に保つとともに、シャッターパネルを上下させるときの手掛かり部をこの解錠操作体に一体に設けたことを特徴とするシャッターにおける解錠装置。
【請求項２】
上下に多数のスラットを屈曲可能に連結したシャッターパネルを左右のガイドレール内に保持して上方に設置したドラムに巻き取る巻上式のシャッターにおいて、上下中間位置のスラットの部屋内側に設けた上下回動レバー式の解錠操作体の解錠操作によってボトムスラットの部屋内側に取り付けた係止体をガイドレール内に設けた係止部から外して解錠する解錠装置であり、この解錠装置が、解錠操作体と係止体とを可撓性の索条からなる連結体で連結したものであり、かつ、この連結体を解錠操作体と同位又は下位に位置するスラットに固定される案内具に挿通して所定の張り掛け姿態に保つとともに、シャッターパネルを上下させるときの手掛かり部をこの解錠操作体に一体に設けたことを特徴とするシャッターにおける解錠装置。
【請求項３】
上下に多数のスラットを屈曲可能に連結したシャッターパネルを左右のガイドレール内に保持して上方に設置したドラムに巻き取る巻上式のシャッターにおいて、上下中間位置のスラットの部屋内側に設けた解錠操作体の解錠操作によってボトムスラットの部屋内側に取り付けた係止体をガイドレール内に設けた係止部から外して解錠する解錠装置であり、この解錠装置が、解錠操作体と係止体とを可撓性の索条からなる連結体で連結したものであり、かつ、この連結体を解錠操作体と同位又は下位に位置するスラットに固定される案内具に挿通して所定の張り掛け姿態に保つとともに、解錠操作体を連結具で兼用させる一方、シャッターパネルを上下させるときの手掛かり部をこの解錠操作体に近接した位置で別途に設けたことを特徴とするシャッターにおける解錠装置。
【請求項４】
係止部を、ガイドレール内に代えて部屋内側の底部材に設けた請求項１〜３いずれかのシャッターにおける解錠装置。
【発明の詳細な説明】
【０００１】
【発明の属する技術分野】
本発明は、住宅の窓等、開口部の外側に取り付けられるシャッターにおける解錠装置に関するものである。
【０００２】
【従来の技術】
この種のシャッターは、多数のスラットを上下に屈曲可能に連結したシャッターパネルを主体としており、このシャターパネル（以下、パネル）を上方に設けたドラムで巻き上げるようにしている。この場合、パネルを降ろしたときには施錠される必要があるが、これを解錠する従来の解錠装置は、スラットの最下部を構成するボトムスラットに組み込まれていた。図１６はその一例を示すシャッターの裏面図であるが、パネルａを構成するスラットｂのうちのボトムスラットｂ1 に形成した長手方向の溝等で左右一対の長尺状の係止体ｃを保持させるとともに、各係止体ｃの幅方向内方端に一対のレバーｄを連結し、各レバーｄを指で摘んで各係止体ｃを内方側に移動させる構成を有している。
【０００３】
そして、パネルａの両端を挿入して案内するガイドレールｅ内におけるパネルａを降ろしたときのボトムスラットｂ1 の位置に、内面が下り傾斜をして下面が水平な三角形状の係止部ｆをその内面と下面の頂点の位置がボトムスラットｂ1 の端から離して設けてある。これにおいて、各レバーｄにはスプリング（図示省略）が張り掛けられており、このスプリングの力によって各レバーｄ及び各係止体ｃを外方へ弾性付勢しており、このとき、各係止体ｃの外端は係止部ｆの下方に在るから、これでパネルａを施錠している。これに対して、各レバーｄを指で摘んで引き寄せると、各係止体ｃは係止部ｆの下から後退するから、これで解錠することになる。尚、これらパネルａの室内側には、引き違い窓（サッシ）等の開口部が設けられており、以上の施解錠操作はこの窓を開けて行うため、上記したレバーｄは一方の側に寄せてある。
【０００４】
この場合、シャッターを閉める操作は、パネルのボトムスラットを手で持って引き降ろすことになるが、中間高さを過ぎた辺りからは前方に屈んだ姿勢で押し下げることになる。そして、係止体が係止部に差しかかると、係止体の先端は係止部の内面（斜面）に当接して内方へ後退しながらこれを乗り越える。係止体が係止部の斜面を乗り越えると、レバー間に掛け渡された上記スプリングの作用によって外方へ前進させられ、係止部の底面に突出して施錠される。一方、シャッターを開ける操作は、まず、下方に屈んで二つのレバーを指で摘んで係止体を内方へ引き寄せる。すると、係止体は係止部から外れる位置まで後退して解錠されるから、この状態を保持したままパネルを少し引き上げ、続いてボトムスラットの下方に手を差し入れて上方に引き上げる。
【０００５】
【発明が解決しようとする課題】
ところが、パネルを構成する各スラットは平板状をした薄板であり、前後方向の段差はあまり設けられていない。このため、その裏面には開け閉めのときに手を掛ける適当な手掛かり部が存在しない。従って、解錠装置を設ける必要上から、前後方向に多少段差があるボトムスラットを手掛かり部にしているが、前屈みでの操作は力が出し難い上に腰等に負担がかかって苦痛でもある。尚、ドラムにはパネルの重量を軽減するためのスプリング等が組み込んであるが、引き降ろし時にはこのスプリングの力に抗する力を出すことが必要であり、加えて、係止体が係止部を乗り越えるときの抵抗はこの力に付加されることから、このスプリングの力をあまり強くはできない。このため、引き上げ、特に、屈み込んで行う初期の引き上げにはかなり無理な姿勢を強いられるが、この姿勢では大きな力が出せないのは上述したとおりである。
【０００６】
更に、上記のような解錠装置では、解錠と同時にパネルが幾分自動的に引き上げられる構造にはできないから、解錠状態を保持したままでパネルを引き上げなければならない。従って、それぞれの操作を片方ずつの手で行わざるを得ず、余計大きな力が求められてやり難い。このようなことから、年配者や障害者には負担が大きすぎ、自ら操作できないといった事態も発生する。尚、高さ方向中間位置のスラットに開け閉めのときの手掛かり部を別途設けることも考えられるが、解錠操作を行うためには、どうしても屈み込まなければならないから、一例の動作で引き上げるには、やはりボトムスラットに手を掛けることになってしまう。そこで、本出願人は、これらの課題に対して特開平１１−１５２９７５号公報に記載の中間錠タイプのシャッターを提案して来たが、このものは、解錠装置を一枚の中間スラットの高さ内に納める等の制約がある。このため、本発明では、ボトムスラットに解錠装置を取り付けたものであっても、楽な姿勢で解錠及び開閉ができるようにしたものである。
【０００７】
【課題を解決するための手段】
以上の課題の下、本発明は、請求項１に記載した、上下に多数のスラットを屈曲可能に連結したシャッターパネルを左右のガイドレール内に保持して上方に設置したドラムに巻き取る巻上式のシャッターにおいて、上下中間位置のスラットの部屋内側に設けた左右スライド式の解錠操作体の解錠操作によってボトムスラットの部屋内側に取り付けた係止体をガイドレール内に設けた係止部から外して解錠する解錠装置であり、この解錠装置が、解錠操作体と係止体とを可撓性の索条からなる連結体で連結したものであり、かつ、この連結体を解錠操作体と同位又は下位に位置するスラットに固定される案内具に挿通して所定の張り掛け姿態に保つとともに、シャッターパネルを上下させるときの手掛かり部をこの解錠操作体に一体に設けたことを特徴とするシャッターにおける解錠装置を提供する。また、請求項２に記載した、解錠操作体が上下回動レバー式のものあるもの、請求項３に記載した、解錠操作体を連結具で兼用させる一方、手掛かり部をこの解錠操作体に近接した位置で別途に設けたものを提供する。
【０００８】
以上の手段によれば、解錠操作体は上下中間位置に設けられるから、その高さを調整することで屈み込む姿勢をとる必要がなく、大きな力が出せるし、腰等に負担もかからない。又、手を掛けることができる手掛かり部を解錠操作体に関連して一体に又は近接して設けたので、解錠操作体を操作する姿勢のままでパネルを持ち上げることができ、解錠操作と引き上げ操作とを一連の動作で行えるから、省力的で、しかも迅速である。更に、パネルを降ろす場合においても、ボトムスラットから上下中間位置の手掛かり部に持ち替えることで屈み込む必要はない。従って、楽に大きな力が出せるため、前記した重量軽減用スプリングの巻き上げ方向の付勢力を強くできることになる。こうすることにより、解錠すると自動的にシャッターが幾分巻き上げられて係止体が係止部を越え、後は引き上げるだけでよいといったようなことも可能になるから、解錠操作をした状態を保っておかなくてもパネルを持ち上げることができ、解錠及び引き上げ操作の負担が大幅に軽減される。
【０００９】
この場合において、連結体は、解錠操作体より下方のスラットに固定される案内具に挿通して所定の張り掛け姿態に保たれているから、解錠操作体及び手掛かり部は、使用者の勝手に応じてパネルの左右どちらの位置にも選択的に取り付けることができる。従って、既存のパネルに解錠操作体と連結体だけを後付けしてこの解錠装置を構成することも可能になる。又、左右にまたがる長尺の解錠操作体及び手掛かり部とすれば、左右いずれの引き違いサッシを開けても施解錠操作ができる。尚、係止部については、請求項４に記載の、ガイドレール内に代えて部屋内側の底部材に設けられてもよい。更に、解錠操作体及び手掛かり部として、解錠操作体が、手掛かり部が一体に設けられた左右スライド式のものであるが、請求項２に記載の、解錠操作体が、手掛かり部が一体に設けられた上下回動レバー式のものであるもの、請求項３に記載の、解錠操作体を連結具で兼用させる一方、手掛かり部が別途に設けられるものであるもの等が考えられる。このうち、請求項１及び請求項２の態様によれば、解錠操作体による解錠操作とパネルの引き上げとが持ち替えなしで行える。
【００１０】
【発明の実施の形態】
以下、本発明の実施の形態を図面を参照して説明する。図１〜図７は第一実施例についてのものであり、図１はこの例におけるシャッターの裏面図、図２は図１のＡーＡ拡大断面図、図３は同じくＢーＢ拡大断面図、図４は同じくＣーＣ拡大断面図、図５はシャッターの解錠装置の要部の拡大裏面図、図６は解錠装置の解錠状態を示すシャッターの裏面図、図７はシャッターの巻き取り状態を示す拡大断面側面図である。
【００１１】
シャッターは、複数のスラット１を上下に屈曲可能に連結してなるシャッターパネル（パネル）２を上部のボックス３内に軸支したドラム４に巻き取り可能に吊り下げ、パネル２の左右両端側を断面コ字形をしたガイドレール５で保持して案内するものである。そして、左右のガイドレール５の外方側内面には、後述する解錠装置８を構成する係止部５ａが取り付けられており、又、スラット１の最下位を構成するボトムスラット６の部屋内側には、長手方向に溝６ａが形成されてこの溝６ａに同じく解錠装置８を構成する左右二本に分割された係止体７がスライド可能に保持されている。尚、各係止体７は、後述するスプリング８ｄによって常時外方側へ付勢されてボトムスラット６の端面より外方に突出している。
【００１２】
この場合において、前記した係止部５ａは、パネル２を降ろしたときにボトムスラット６に保持される係止体７の上方位置に設けられるものであり、上述したとおり、内面に下り傾斜面を有して下面に水平面を有する裏面視三角形状をしているものである。勿論、その頂部はボトムスラット６の端面よりは外方に在ってパネル２の昇降には支障がないようになっている。しかし、係止体７の左右両端はこの頂部よりも外方に突出しており、スラット１を下降させるときには、スプリング８ｄの付勢力に抗して係止部５ａの傾斜面を滑り下り、頂部を過ぎるとスプリング８ｄの作用で下面の下方に突出してパネル２がその位置から上がらないように、即ち、施錠をする。これに対して、解錠は、両係止体７をスプリング８ｄの付勢力に抗して内方側に寄せればよいのであり、このとき、係止体７の両端は係止部５ａの頂部よりも内方まで後退するから、係止部５ａを通過することができる。
【００１３】
以上の解錠を行うのが解錠装置８であるが、本例の解錠装置８は次のように構成されている。ボトムスラット６における係止体７の分割位置（本例では左側寄りに設定されている）には、図５に示すように、ケース８ａが設けられており、このケース８ａの内部に、二つの回動軸８ｂと、各々の回動軸８ｂに軸支される二つのレバー８ｃと、レバー８ｃ同士に架け渡されるスプリング８ｄがそれぞれ設けられている。そして、各レバー８ｃには、各係止体７に形成された長穴７ａに嵌まり込む連結ピン８ｅが設けられており、これによってレバー８ｃと係止体７とは連係されている。
【００１４】
この場合におけるスプリング８ｄは引張りばねで、二つのレバー８ｃの間に回動軸８ｂを中心にして連結ピン８ｅの反対側に張られている。これにより、係止体７は常に外側へ付勢されていることになる。両レバー８ｃは、二つとも上端が外方へ屈曲した形状の上下逆Ｌ字状に形成されている。ケース８ａの上縁の中央と両端の三箇所には、レバー８ｃの移動経路を塞ぐストッパ部８ｆが形成されており、各ストッパ部８ｆの間からレバー８ｃの先端が突出して回動範囲が規制される。各レバー８ｃの屈曲した上部先端には後述する連結体９を固定するための孔８ｇが形成されている。これらケース８ａをボトムスラット６へ取り付けるには、図３に示すように、ケース８ａに形成された孔から挿し込んだ止めネジ８ｈをボトムスラット６の溝６ａ内に保持した板ナット８ｉにスペーサ８ｊを介して止め付ければよい。この点で、ボトムスラット６は各スラット１とは違う形状をしている。具体的には、手で持って引き上げや引き下げをするために高強度に設計されているとともに、下面には下降における衝突時の消音や気密のためのモヘア６ｂ及び湿気やゴミ等の浸入を防ぐ水切り６ｃ等が形成されている。
【００１５】
一方、上下中間位置に在るスラット１の部屋内側には、解錠操作体１０が取り付けられている。この解錠操作体１０は、図４に示すように、スラット１に細長い棒状の取付ベース１０ａをネジ等で固定し、これにスライド体１０ｂを左右方向にスライド可能に取り付けたもので構成されている。そして、スライド体１０ｂと取付ベース１０ａとの間に形成された空間には、一端がスライド体１０ｂに固定され、他端が取付ベース１０ａに固定されたスプリング１０ｃが収容されており、スライド体１０ｂを施錠位置である図１中の左方向に付勢している。スライド体１０ｂの上下端には、後方へ延出する張出部が形成されており、これで手掛かり部１０ｄを構成してシャッター開閉操作時の手掛かりとしている。このように、本発明では、解錠操作体１０と手掛かり部１０ｄとは関連して設けられているのが特徴であり、ここでいう関連とは、同一部材であるか或いは同一部位又は近接して設けられていることが含まれる。この他、下方の手掛かり部１０ｄには連結体９を挿通するための孔１０ｅが形成されている。
【００１６】
連結体９は、ロープ、ベルト、チェーンといったドラムへの巻き取りが可能で強靱な材質からなる可撓性の索条からなり、本例のものでは下部が二股に形成されている。二股に分かれた下端はそれぞれ左右のレバー８ｃの孔８ｇに挿入し、先端に圧着体９ａ等をかしめ固定して抜け止めとしている。連結体９の上端は、ほぼ真上位置のスライド体１０ｂ下部の手掛かり部１０ｄに形成された孔１０ｅに挿入して先端に圧着体９ａを止め付ける等して抜け止めとしている。更に、解錠操作体１０の下方のスラット１には、以上の連結体９を通すリング状の案内具１１が設けられている。
【００１７】
以上において、シャッターを開ける際は、図６に示すように、スライド体１０ｂの手掛かり部１０ｄを持って右方向にスライドさせる。すると、案内具１１より下方の連結体９は上方へ引っ張られ、両レバー８ｃを内方へ回動させるとともに、両係止体７を共に内方へ引き寄せて解錠位置に設定する。このとき、上述のように、ドラム４は巻き取り方向にスプリングで付勢されているが、この付勢力は、パネル２が幾分上昇するように設定されているので、係止体７は係止部５ａを越え、後の操作はスライド体１０ｂの位置を気にせず手掛かり部１０ｄを持ったまま、即ち、持ち替えることなく、パネル２を引き上げればよい。以上より、解錠操作体１０を設けるスラット１の上下中間位置とは、直立した姿勢で手が楽に届く位置のことである。
【００１８】
この点で、本例の解錠操作体１０はスライド式ということになり、このようなスライド動作によって連結体９を引っ張ると、通常斜め上方への引っ張りとなるが、本発明では、案内具１１に挿通することによって所定の張り掛け姿態が保たれるようになっている。具体的にいえば、案内具１１から下の部分は真上に引っ張られるようになっている。そのまま斜め上方に引き上げると、傾き側のレバー８ｃ及び係止体７の作動が不十分で、解錠できないことがあるし、スライド体１０ｂの移動距離に対する連結体９の上方移動成分が小さく、必要リフトを得るために大きなストロークを必要とするといったことがあるが、このように真上に引き上げることによってこの点も解消できる。この点で、案内具１１は重要な意味を有しており、解錠操作体１０に近い位置に設けるほど効果は高くなる。以上の案内具１１は、連結体９との滑りを良くするためにローラ等を用いたものでもよいが、連結体９が容易に外れないような保持構造をとるものが好ましい。
【００１９】
一方、シャッターを閉じる際は、ボトムスラット６を手で持って引き下げ、途中から手掛かり部１０ｄを持って押し下げればよい。従って、解錠操作はもとより、開閉操作中一切屈む姿勢をとる必要がないから、腰等に負担がかからない。このことは、シャッターを閉める際に力を加え易い立ったままの姿勢で手掛かり部１０ｄを押し下げられることを意味するから、巻き取り方向のスプリングの力を強く設定することができる。これにより、上述したように、解錠すると同時に自動的にパネル２を幾分上昇させて係止体７を係止部５ａの上方に越えさせて確実に解錠させることが可能となる。この他、解錠操作体１０は、スラット１のほぼ幅一杯に設けられているから、引き違い窓の左右どちらからでも解錠操作ができる。
【００２０】
ところで、パネル２の巻き取りには、部屋外側へ巻き取る外巻きと部屋内側に巻き取る内巻きとの二種類がある。図７に示すのは外巻き式であるが、これによると、パネル２は部屋外側面を巻き取り内面にして順次巻き重ねられる。本例では、巻きに影響が出ないよう手掛かり部１０ｄ及び案内具１１の突出量を少なく設定しているが、幾分スラット１の厚みよりも突出するものであっても差し支えない。スラット１の上面（スラットの部屋内面）に重ならないパネル２の下方部分であれば、突出量を増してより手の掛け易い手掛かり部１０ｄとすることができる。ドラム４の直径やスラット１及びパネル２の高さ寸法等によっても異なるが、例えば、ドラム４の直径が７０ｍｍ、一枚のスラット１の高さ寸法が４０ｍｍ、パネル２の高さが２００ｍｍ程度のものであれば、下から６００ｍｍ位までの高さの１５枚前後のスラット１がこの状態になる。
【００２１】
連結体９は、外巻き、内巻きを問わず、ドラム４に対してスラット１と共に巻かれるので、可撓性を有する材質のものを選定することになる。特に、外巻き式のパネル２では、ドラム４に対して連結体９が伸びる方向に巻かれるので、幾分伸びを許容する材質のものを選定することになるが、この場合、解錠操作や経年変化によって伸びが生じる虞もあるので、ワイヤー紐やチェーンといった細くて丈夫なものを用いるのが好ましい。更に、ドラム４への巻き取りに伴う連結体９の引張力に対してはレバー８ｃが回動して追従するので、この回動範囲内で対処できない場合のみ、パネル２を閉じた状態において若干の遊びを持たせておくのが好ましい。尚、遊びがあったとしても、わずかな量であるし、案内具１１が連結体９を所定の張り掛け姿態に保つので、何ら解錠操作に支障は来さない。この他、連結体９には、パネル２と共に巻き込んでも異音の発生や表面を傷つける虞のないビニールコーティング等を施しておくのが適する。
【００２２】
図８〜図１０は第二実施例についてのものであり、図８はこの例のシャッターの裏面図、図９は図８のＤーＤ拡大断面図、図１０は解錠装置の要部の拡大裏面図である。本例のものは、解錠操作体２０をレバー式としたものであり、この解錠操作体２０をパネル２の幅方向の左右それぞれに設けた例である。解錠操作体２０は、取付ベース２０ａと断面略Ｌ字状の回動ノブ２０ｂとからなり、取付ベース２０ａは、スラット１にビス２１で固定されており、回動ノブ２０ｂは、取付ベース２０ａの水平方向に架け渡された回動軸２０ｃに回動可能に取り付けられている。本例における回動ノブ２０ｂは、パネル２を開閉する際の手掛かり部２０ｄを兼ねている。又、回動ノブ２０ｂの下端（回動先端）には、連結体９を通すための孔２０ｅが形成されている。
【００２３】
以上の解錠装置８の第一実施例と異なる点は、両レバー８ｃの上端がいずれもケース８ａから突出せず、一方のレバー８ｃのみがＬ字状に形成され、下方の折曲した先端部分がケース８ｃから側方へ突出し、この先端に連結体９を固定するための孔８ｇが形成されていることである。従って、レバー８ｃの回動規制を行うストッパ部８ｆは、ケース８ａの側縁の上下２ヶ所に形成されることになる。尚、レバー８ｃ同士は、リンク杆８ｋで連結されており、連結体９を上方に引っ張ると、両レバー８ｃを共に内方に回動させ、両係止体７を内方に寄せるようになっているのは変わらない。
【００２４】
連結体９は、下端部がレバー８ｃの孔８ｇに通されて先端に圧着体９ａ等が止着されて抜け止め固定されており、途中で二股に分岐して各先端部が回動ノブ２０ｂの孔２０ｅに通されて同様に抜け止め固定されている。二股の上部は解錠操作体２０の真下のスラット１に設けられた案内具１１を通り抜け、一方の連結体９は真上に存在する解錠操作体２０を構成する回動ノブ２０ｂに一直線に延びて連結しており、他方の連結体９は上記した案内具１１を通り抜けてほぼ水平に折れ曲がり、更に右側の解錠操作体２０の直下のスラット１に設けられる案内具１１を通り抜けて上方へ折れ曲がり、直上に存在する回動ノブ２０ｂに連結する構造である。
【００２５】
本例の解錠操作体２０による解錠操作は、図９（ロ）に示すように、回動ノブ２０ｂを上方へ回動させて解錠させる。このとき、通常であるなら、連結体９を側面視斜め上方へ引っ張ることになるが、案内具１１を通すことによって所望の張り掛け姿態、即ち、案内具１１から下の部分を真上に引っ張っているので、必要リフトを得るための効率が良い。そして、回動ノブ２０ｂは、ドラム４への巻き取りが可能でありながらも、使用時には回動させて大きな手掛かり部２０ｄとすることができる。本例のものも、解錠操作中はもとより、パネル２の開閉操作中においても、一切屈む姿勢をとる必要がない。更に、パネル２を閉める際、力を加え易い立ったままの姿勢で手掛かり部２０ｄを押し下げられることから、巻き取り方向のスプリングの力を強く設定することができ、解錠すると同時に自動的にパネルを幾分上昇させて確実に解錠させることができる。これらの作用は、第一実施例における場合と同じであり、第一実施例と同じ効果を享有できる。この他、引き違い窓の左右どちらからでも解錠操作ができる点も同じである。
【００２６】
この場合、左右の解錠操作体２０は長尺状の一枚物にして左右にまたがって設けてもよく、その場合は、連結体９の上部は二股に分ける必要はない。又、解錠操作をする位置を左右いずれかに固定する場合は、解錠操作体２０を左右片側にのみ、使用者の好みに合わせて設けることで低コスト化を図ることができる。部品点数が少なく、既存のシャッターにも後付けし易い。
【００２７】
図１１〜図１３は第三実施例についてのものであり、図１１はこの例のシャッターの裏面図、図１２は解錠装置の解錠状態を示すシャッターの裏面図、図１３は図１２のＥーＥ拡大断面図である。本例のものは、解錠操作体３０と連結体３９とを一本の索条によって形成した例である。尚、解錠装置８は、第一実施例と同じものを用いている。索条は、解錠装置８からその適宜上方にあるスラット１に固定した案内具１１に挿入するよう真上に延びており、案内具１１を通過した後は水平に折れ曲がり、更に同じスラット１の幅方向中央付近に固定した別の案内具１１を真っ直ぐ通り抜け、端部はスラット１に固定したアングル３０ａの孔３０ｂに挿入され、先端に圧着体３９ａを止め付けて抜け止めとしている。本例では、この水平部分が左右方向にまたがって解錠操作体３０を構成することになり、残る垂直部分が連結体３９を構成していることになる。
【００２８】
加えて、本例では、解錠操作体３０が設けられるスラット１の適宜上方のスラット１を全幅に亘って同一断面を有するアルミの押出材で置換しており、この押出材を手掛かり部３０ｃとしている。従って、本例では、解錠操作体３０と手掛かり部３０ｃとは別体であるが、近接した位置に設けられており、上述のように、両者は関連して設けられている。本例の解錠操作体３０における解錠操作は、索条の解錠操作体３０に相当する部分を上方に引いて（図１２、図１３参照、この他に下方、手前、右側に引いても可）、連結体３９に相当する部分を介してレバー８ｃを上方に引っ張って解錠する。この場合、連結体３９に相当する部分を引いたまま手掛かり部３０ｃに指を掛けることができるので、パネル２の持ち上げ操作もワンアクションで行うことができる。本例の解錠操作体３０は、簡単な構造であるから、低コストで製作できる利点がある。
【００２９】
図１４〜図１５は第四実施例についてのものであり、図１４はこの例のシャッターの裏面図、図１５は解錠装置の要部の拡大裏面図である。本例のものは、第三実施例と同様、解錠操作体４０と連結体４９とを一本の索条によって形成した例である。但し、解錠装置８の片側のレバー８ｃのみがケース８ａから先端が突出する長さを有し、ここに連結体４９の端が固定されている。この場合の索条は、レバー８ｃの先端からボトムスラット６の上方のスラット１の右側に固定された案内具１１まで水平に延びており、案内具１１を通った後に上方へ直角に折れ曲がり、更に上方のスラット１に固定された案内具１１を真っ直ぐ通り抜け、中間位置のスラットの右側寄りに取り付けた手掛かり部４０ａの下方のスラット１に先端が抜け止め固定される。
【００３０】
索条は、スラット１に固定したアングル４０ｂの孔に挿入された先端に圧着体４９ａを止め付けて抜け止めとしているのは第三実施例と同様であるが、本例の圧着体４９ａは、リング状の指掛け部を備えており、上方の案内具１１から上の部分が解錠操作体４０となり、残る下の部分が連結体４９に相当する。これによる解錠操作は、圧着体４９ａに指を掛けて解錠操作体４０に相当する部分を引き上げるか、若しくは解錠操作体４０に相当する部分を手前に引き（右側、左側に引いても可）、連結体４９に相当する部分を介して左右の係止体７を内側に摺動させて解錠させる。これによると、解錠操作は、引き違い窓の右側に限定されることになるが、部品点数等が少なくて取り付けも容易な構造であることから、後付けし易い利点がある。
【００３１】
図１７〜図２０は解錠装置の他の構成を示すものであり、図１７はその裏面図、図１８、図１９は要部の正面図、図２０は図１７のＦーＦ断面である要部の断面図である。本構成における係止部１３ａは、上記の係止部５ａが両方のガイドレール５内に設けられるのに対し、部屋内側の水切板等、シャッターを取り付ける開口部の下縁に設けられる底部材１２の適所（本例では略中央）に設けられものであり、この係止部１３ａをピン等で構成しているものである。そして、係止体７をこの係止部１３ａに係脱するキャッチ体で構成するとともに、この係合外しを、解錠操作体１０と連結体９を介して連結されるレバー８ｃで行っている。
【００３２】
具体的には、図１８において、解錠装置８のケース８ａ内に、右端の開口端が係止部１３ａが存在する位置に設定されている溝であるキャッチ部７ｂを形成した係止体７を、回動軸８ｎの回りに回動自在に取り付けるとともに、ボトムスラット６が下降したとき、このキャッチ部７ｂに銜え込まれることになる係止部１３ａを底部材１２から部屋内側に立ち上げた係止部ベース１３に取り付けている（図２０参照）。そして、係止体７の左側には、レバー８ｃを回動軸８ｂの回りに回動可能に設け、その右端が係止体７の左端の下部に形成された第１ストッパ８ｑと、その上部に形成された第２ストッパ部８ｒとに選択的に係合する構成にしている。レバー８ｃの回動軸８ｂより左側の腕部は、ケース８ａの左壁に形成された窓８ｓから突出しており、その端に孔８ｇが穿たれ、この孔８ｇに連結体９を連結している。
【００３３】
又、係止体７の同じく左側上部には掛止孔８ｐを形成し、これとケース８ａの右壁との間にスプリング８ｄを張っている。この場合、施錠されていないときには、図１９に示すように、係止体７はスプリング８ｄで引っ張られ、第１ストッパ部８ｑにはレバー８ｃが係合して突っ張りとなってこの姿勢に固定されており、このとき、キャッチ部７ｂはその溝の向きをやや下向きにしている。更に、ケース８ａの裏壁には、ボトムスラット６が下降したとき、係止部１３ａが通過できる溝状の切欠８ｍを下端に開口させて形成している。
【００３４】
以上の構成により、ボトムスラット６が下降すると、キャッチ部７ｂが係止部１３ａの位置に下がってこれを銜え込む。尚、この銜込みを確実にするため、キャッチ部７ｂの溝の下側は、係止部１３ａに当たらない程度まで長さが詰められており、この状態のときには、溝の上側が確実に係止部１３ａに当たるようにしている。ボトムスラット６が更に下降すると（このとき、ケース８ａと係止部１３ａとは切欠８ｍの存在によって干渉することはない）、係止体７は係止部１３ａに押されてスプリング８ｄに抗して左回転し、図１８に示すように、キャッチ部７ｂは略水平の姿勢で、係止部１３ａをその中央当たりまで突入させた状態となる。
【００３５】
同時に、レバー８ｃに対して第１ストッパ部８ｑが外れ、レバー８ｃはその重心が回動軸８ｂよりも左側の腕部寄りに設定されているから左回転し、今度は第２ストッパ部８ｒが係合して突っ張りになり、係止体７の右回転はできなくなる。この状態がボトムスラット６の下降エンドのときの状態であり、この状態になると、スラット１は上方に引き上げられず、施錠したことになる。一方、解錠操作は、上記と同様であり、解錠操作体１０への解錠操作を連結体９を介してレバー８ｃに伝えると、図１８中二点鎖線で示すように、レバー８ｃは右回転し、これと第２ストッパ部８ｒとの係合が外れて係止体７は右回転が許容された状態となる。よって、キャッチ部７ｂはシャッターパネル２の引き上げに伴って元の下向きになって係止部１３ａからの抜出しを可能にするから、スラット１は自由に引き上げられる。
【００３６】
ところで、以上において、レバー８ｃは、左回転のときも右回転のときも、所定の範囲内だけ動けばよいのであるから、その腕部を通過させる窓８ｓの上下長さをこれに対応させて必要以上動かないようにしている。従って、窓８ｓの上端は、解錠操作時におけるレバー８ｃの右回転の動きを規制するストッパ部８ｆとなるし、下端は、レバー８ｃが係止体７に係合しないフリーの状態のときに生ずる左回転の動きを規制するストッパ部８ｆとなる。加えて、このストッパ部８ｆ、８ｆは、レバー８ｃの腕部に何らかの外力が作用した場合の解錠装置８の破損防止の働きもする。
【００３７】
以上、本発明によれば、解錠操作体は上下中間位置に設けられるから、その高さを調整することで屈み込む姿勢をとる必要がなく、大きな力が出せるし、腰等に負担もかからない。又、手を掛けることができる手掛かり部を解錠操作体に関連して設けたので、解錠操作体を操作する姿勢のままでパネルを持ち上げることができ、解錠操作と引き上げ操作とを一連の動作で行えるから、省力的で、しかも迅速である。更に、パネルを降ろす場合においても、ボトムスラットから上下中間位置の手掛かり部に持ち替えることで屈み込む必要はない。従って、楽に大きな力が出せるため、前記した重量軽減用スプリングの巻き上げ方向の付勢力を強くできることになる。こうすることにより、解錠すると自動的にシャッターが幾分巻き上げられて係止体が係止部を越え、後は引き上げるだけでよいといったようなことも可能になるから、解錠操作をした状態を保っておかなくてもパネルを持ち上げることができ、解錠及び引き上げ操作の負担が大幅に軽減される。
【図面の簡単な説明】
【図１】本発明の第一実施例を示すシャッターの裏面図である。
【図２】図１のＡーＡ拡大断面図である。
【図３】図１のＢーＢ拡大断面図である。
【図４】図１のＣーＣ拡大断面図である。
【図５】本発明の第一実施例を示す解錠装置の要部拡大裏面図である。
【図６】本発明の第一実施例を示す解錠状態のシャッターの裏面図である。
【図７】本発明の一例を示すパネルの巻き上げ状態の拡大断面側面図である。
【図８】本発明の第二実施例を示すシャッターの裏面図である。
【図９】図８のＤーＤ拡大断面図である。
【図１０】本発明の第二実施例を示す解錠装置の要部拡大裏面図である。
【図１１】本発明の第三実施例を示すシャッターの裏面図である。
【図１２】本発明の第三実施例を示す解錠状態のシャッターの裏面図である。
【図１３】図１２のＥーＥ拡大断面図である。
【図１４】本発明の第四実施例を示すシャッターの裏面図である。
【図１５】本発明の第四実施例を示す解錠装置の要部拡大裏面図である。
【図１６】従来例を示すシャッターの裏面図である。
【図１７】本発明の他の構成を示す施錠状態のシャッターの裏面図である。
【図１８】本発明の他の構成を示す施錠状態のシャッターの要部の正面図である。
【図１９】本発明の他の構成を示す施錠状態のシャッターの要部の正面図である。
【図２０】図１７のＦーＦ断面図である。
【符号の説明】
１      スラット
２      シャッターパネル
４      ドラム
５      ガイドレール
５ａ    係止部
６      ボトムスラット
７      係止体
８      解錠装置
９      連結体
３９    連結体
４９    連結体
１０    解錠操作体
２０    解錠操作体
３０    解錠操作体
４０    解錠操作体
１０ｄ  手掛かり部
２０ｄ  手掛かり部
３０ｃ  手掛かり部
４０ａ  手掛かり部
１１    案内具
１２    底部材
【図１】
0003901584.tif 000002
【図２】
0003901584.tif 000003
【図３】
0003901584.tif 000004
【図４】
0003901584.tif 000005
【図５】
0003901584.tif 000006
【図６】
0003901584.tif 000007
【図７】
0003901584.tif 000008
【図８】
0003901584.tif 000009
【図９】
0003901584.tif 000010
【図１０】
0003901584.tif 000011
【図１１】
0003901584.tif 000012
【図１２】
0003901584.tif 000013
【図１３】
0003901584.tif 000014
【図１４】
0003901584.tif 000015
【図１５】
0003901584.tif 000016
【図１６】
0003901584.tif 000017
【図１７】
0003901584.tif 000018
【図１８】
0003901584.tif 000019
【図１９】
0003901584.tif 000020
【図２０】
0003901584.tif 000021